(57)【特許請求の範囲】
【請求項１】
電子機器の第１筐体と第２筐体をヒンジシャフトを介して互いに開閉可能に連結させると共に、フリクション機構とカム機構と弾性手段を用いて前記第１筐体と第２筐体の相対的な開閉動作を制御するチルトヒンジにおいて、前記カム機構を構成するカムフォロワーに隣接してガタ防止用ワッシャーを設け、このガタ防止用ワッシャーへ前記ヒンジシャフトを当該ガタ防止用ワッシャーの軸方向の移動を阻害しない程度に圧入させた状態で前記カムフォロワーへ圧接させて成ることを特徴とする、チルトヒンジ。
【請求項２】
前記チルトヒンジは、第１筐体側へ取り付けられる取付部材と、第２筐体側へ取り付けられる支持部材と、前記取付部材側に固定され前記支持部材を回転可能に支持するヒンジシャフトと、このヒンジシャフトと前記支持部材との間に設けられたフリクション機構とカム機構と弾性手段を有するものと成すと共に、前記カム機構を、前記支持部材に固定され前記ヒンジシャフトに前記支持部材と共に回転可能に取り付けられたところの一面にカム面を有する回転カムプレートと、この回転カムプレートのカム面と対向する側にカム面を有し前記ヒンジシャフトに固定されて設けられたカムフォロワーとで構成し、このカムフォロワーと前記弾性手段との間に前記ガタ防止用ワッシャーを設けたことを特徴とする、請求項１に記載のチルトヒンジ。
【請求項３】
前記チルトヒンジは、第１筐体側へ取り付けられる取付部材と、第２筐体側へ取り付けられる支持部材と、この支持部材を取り付け前記取付部材側に対して回転可能に取り付けられたヒンジシャフトと、このヒンジシャフトと前記取付部材との間に設けられたフリクション機構とカム機構と弾性手段を有するものと成すと共に、前記カム機構を、前記取付部材に固定されたところの一面にカム面を有する固定カムプレートと、この固定カムプレートと対向する側にカム面を有し前記ヒンジシャフトに共に回転可能かつ軸方向へ移動可能に取り付けられたカムフォロワーとで構成し、このカムフォロワーと前記弾性手段との間に前記ガタ防止用ワッシャーを設けたことを特徴とする、請求項１に記載のチルトヒンジ。
【請求項４】
前記支持部材側に設けられる回転カムプレートは、これを省略して前記支持部材に一体にカム部を設けたことを特徴とする、請求項２に記載のチルトヒンジ。
【請求項５】
前記取付部材側に設けられる固定カムプレートは、これを省略して前記取付部材に一体にカム部を設けたことを特徴とする、請求項３に記載のチルトヒンジ。
【請求項６】
前記ガタ防止用ワッシャーの変形挿通孔は、その内周面の全面が前記ヒンジシャフトの変形部の外周面と当該ガタ防止用ワッシャーの軸方向の移動を阻害しない程度に圧入させた状態で圧接されるように構成されたことを特徴とする、請求項１に記載のチルトヒンジ。
【請求項７】
前記ガタ防止用ワッシャーの変形挿通孔は、その内周面に複数本の軸方向に沿った凸条部を設けたものとし、この凸条部が前記ヒンジシャフトの外周面と当該ガタ防止用ワッシャーの軸方向の移動を阻害しない程度に圧入させた状態で圧接されるように構成されたことを特徴とする、請求項１に記載のチルトヒンジ。
【請求項８】
前記ガタ防止用ワッシャーの変形挿通孔は、当該変形挿通孔の片側或は両側にテーパー部が設けられ、その内径の細い部分において前記ヒンジシャフトの外周面と当該ガタ防止用ワッシャーの軸方向の移動を阻害しない程度に圧入された状態で圧接されるように構成されたことを特徴とする、請求項１に記載のチルトヒンジ。
【請求項９】
請求項１〜８のいずれか１項に記載のチルトヒンジを備えたことを特徴とする、電子機器。
【発明の詳細な説明】
【技術分野】
【０００１】
本発明は、ノート型パソコン等のような小型の電子機器の機器本体を構成する第１筐体とディスプレイ装置を構成する第２筐体の開閉用に用いて好適なチルトヒンジ及びそのチルトヒンジを備えた電子機器に関する。
【背景技術】
【０００２】
ノート型パソコン、携帯電話機、カーナビゲーション装置等の小型の電子機器では、機器本体を構成する第１筐体に開閉装置を介してディスプレイ装置を構成する第２筐体が開閉装置を介して相対的に開閉可能に取り付けられている。この開閉装置としては、第１筐体に対して第２筐体をフリクション機構を介して任意の角度で停止保持できた上で、さらに所定の開閉角度でクリック停止できるようにするためにカム機構を設けたチルトヒンジが公知である。
【０００３】
この種のチルトヒンジとしては、例えば下記特許文献１に記載のもののように、第１筐体に対する第２筐体の任意の開閉角度において、第２筐体を停止保持し得るフリクション機構を備え、さらにカム機構と、フリクション機構とカム機構に作用する弾性手段とを備えることにより、第１筐体に対して第２筐体をフリーストップに停止保持させ、かつ所定開閉角度において、自動的に開閉されてクリック停止できるように構成した、いわゆる吸込み機能を有するチルトヒンジが公知であり、そのようなカム機構を有するチルトヒンジも今日広く利用されている。
【０００４】
しかしながら、そのようなカム機構を備えたチルトヒンジにおいては、カム機構を構成するヒンジシャフトの外径寸法やこのヒンジシャフトを通すカムフォロワーの挿通孔の内径寸法のバラツキにより、カムフォロワーに回転ガタを生じ、第１筐体と第２筐体の開閉操作に伴う前記カムフォロワーの、とくに回転方向の変換時に、寸法誤差からくるガタによって反転し、互いに対向して噛み合ったカム部の凹凸同士が勢いよくぶつかり合うことで、衝撃音を発生し、快適な使用感が得られないという問題があった。
【０００５】
これを解決するためには、とくにヒンジシャフトの外形寸法やヒンジシャフトを挿通させる変形挿通孔の内径寸法の精度を高めればよいが、この種のチルトヒンジのカム機構を構成するカムフォロワーやヒンジシャフトは、一般に高硬度の金属材料で作製され、焼き入れ焼き戻し作業を行うため、そのヒンジシャフトの外径寸法や変形挿通孔の内径寸法を高精度に仕上げることが難しく、そのためにはコストが掛かり、また、寸法検査、良否選別、音確認など、組立工程数が増加することもコスト増加につながるという問題があった。
【先行技術文献】
【特許文献】
【０００６】
【特許文献１】特開２０１２−２１１６２９号公報
【発明の概要】
【発明が解決しようとする課題】
【０００７】
本発明は、上記問題点を解決するためになされたものであって、その目的とするところは、カムフォロワーの変形挿通孔やこの寸法変形や挿通孔へ挿入させるヒンジシャフトの外径寸法のバラツキによって生じるカムフォロワーの回転ガタによる雑音の発生を、簡便な手段によって解消できるチルトヒンジ及びそのチルトヒンジを備えた電子機器を提供せんとするにある。
【課題を解決するための手段】
【０００８】
上記した目的を達成するために、本発明は、電子機器の第１筐体と第２筐体をヒンジシャフトを介して互いに開閉可能に連結させると共に、フリクション機構とカム機構と弾性手段を用いて前記第１筐体と第２筐体の相対的な開閉動作を制御するチルトヒンジにおいて、前記カム機構を構成するカムフォロワーに隣接してガタ防止用ワッシャーを設け、このガタ防止用ワッシャーへ前記ヒンジシャフトを当該ガタ防止用ワッシャーの軸方向の移動を阻害しない程度に圧入させた状態で前記カムフォロワーへ圧接させて成ることを特徴とする。
【０００９】
その際に本発明は、前記チルトヒンジを、第１筐体側へ取り付けられる取付部材と、第２筐体側へ取り付けられる支持部材と、前記取付部材側に固定され前記支持部材を回転可能に支持するヒンジシャフトと、このヒンジシャフトと前記支持部材との間に設けられたフリクション機構とカム機構と弾性手段を有するものと成すと共に、前記カム機構を、前記支持部材に固定され前記ヒンジシャフトに前記支持部材と共に回転可能に取り付けられたところの一面にカム面を有する回転カムプレートと、この回転カムプレートのカム面と対向する側にカム面を有し前記ヒンジシャフトに固定されて設けられたカムフォロワーとで構成し、このカムフォロワーと前記弾性手段との間に前記ガタ防止用ワッシャーを設けたことを特徴とする。
【００１０】
さらに本発明は、前記チルトヒンジを、第１筐体側へ取り付けられる取付部材と、第２筐体側へ取り付けられる支持部材と、この支持部材を取り付け前記取付部材側に対して回転可能に取り付けられたヒンジシャフトと、このヒンジシャフトと前記取付部材との間に設けられたフリクション機構とカム機構と弾性手段を有するものと成すと共に、前記カム機構を、前記取付部材に固定されたところの一面にカム面を有する固定カムプレートと、この固定カムプレートと対向する側にカム面を有し前記ヒンジシャフトに共に回転可能かつ軸方向へ移動可能に取り付けられたカムフォロワーとで構成し、このカムフォロワーと前記弾性手段との間に前記ガタ防止用ワッシャーを設けたことを特徴とする。
【００１１】
前記支持部材側に設けられる回転カムプレートは、これを省略して前記支持部材に一体にカム部を設けたことを特徴とする。
【００１２】
前記取付部材側に設けられる固定カムプレートは、これを省略して前記取付部材に一体にカム部を設けたことを特徴とする。
【００１３】
本発明はさらに、前記ガタ防止用ワッシャーの変形挿通孔は、その内周面の全面が前記ヒンジシャフトの変形部の外周面と当該ガタ防止用ワッシャーの軸方向の移動を阻害しない程度に圧入させた状態で圧接されるように構成されたことを特徴とする。
【００１４】
本発明はさらに、前記ガタ防止用ワッシャーの変形挿通孔は、その内周面に複数本の軸方向に沿った凸条部を設けたものとし、この凸条部が前記ヒンジシャフトの外周面と当該ガタ防止用ワッシャーの軸方向の移動を阻害しない程度に圧入させた状態で圧接されるように構成されたことを特徴とする。
【００１５】
本発明はさらに、前記ガタ防止用ワッシャーの変形挿通孔は、当該変形挿通孔の片側或は両側にテーパー部が設けられ、その内径の細い部分において前記ヒンジシャフトの外周面と当該ガタ防止用ワッシャーの軸方向の移動を阻害しない程度に圧入された状態で圧接されるように構成されたことを特徴とする。
【００１６】
そして本発明は、前記チルトヒンジを備えたことを特徴とする電子機器であることを特徴とする。
【発明の効果】
【００１７】
本発明に係るチルトヒンジにおいては、上記のように、前記カム機構を構成するカムフォロワーに隣接してガタ防止用ワッシャーを設け、このガタ防止用ワッシャーへヒンジシャフトを当該ガタ防止用ワッシャーの軸方向に移動を阻害しない程度に圧入させた状態で前記カムフォロワーへ圧接させるように構成したため、このガタ防止用ワッシャーがカムフォロワーに圧接されることによりカムフォロワーの回転ガタが抑制され、これによって、カム機構からの雑音の発生が解消される。つまり、カムフォロワーにはこのガタ防止用ワッシャーが圧接されるため、カムフォロワーとヒンジシャフト間に多少の回転ガタがあったとしても、例えばカム機構の回転時におけるカムフォロワーの反転は、これに圧接されたガタ防止用ワッシャーとの摩擦抵抗によって低減もしくは制限され、雑音の発生が防止される。また、ガタ防止用ワッシャーは比較的薄い部材で良いため、寸法コントロールが容易である。
【００１８】
以上のことから、本発明のチルトヒンジでは、前記ガタ防止用ワッシャーという部品を１個追加する必要はあっても、それを上回る工程数削減効果によるコストダウンや構造的安定性を確保することが可能となる。
【図面の簡単な説明】
【００１９】
【図１】本発明に係る電子機器の一例を示し、(ａ)は第１筐体と第２筐体を開いて前方から見た斜視図、（ｂ）は第１筐体と第２筐体を互いに閉じて後方から見た斜視図である。
【図２】本発明に係るチルトヒンジを電子機器に取り付けた状態の一例を示す図である。
【図３】本発明に係るチルトヒンジの一実施例の外観斜視図である。
【図４】図３に示したチルトヒンジの分解斜視図である。
【図５】図３に示したチルトヒンジを図４とは異なる方向から見た分解斜視図である。
【図６】図４及び図５に示したチルトヒンジにおけるヒンジシャフトを示す図で、（ａ）は斜視図、（ｂ）は平面図、（ｃ）は正面図、（ｄ）は右側面図である。
【図７】本発明に係るチルトヒンジで用いられるガタ防止用ワッシャーの拡大斜視図である。
【図８】本発明に係るガタ防止用ワッシャーの他の実施例を示す拡大斜視図である。
【図９】本発明に係るガタ防止用ワッシャーのさらに他の実施例を示し、（ａ）は拡大斜視図、（ｂ）はその縦断面図である。
【発明を実施するための形態】
【００２０】
以下、本発明のチルトヒンジ並びにこのチルトヒンジを備えた電子機器の実施例を添付図面に基づいて詳述する。
【００２１】
図１(ａ)、(ｂ)において、指示記号２０で示されたものは、例えばノートパソコンのような電子機器であり、この電子機器２０の第１筐体２１は、例えば、キーボード２１ａ等を上面に有している。電子機器２０が図示するようなノート型パソコンである場合には、第１筐体２１は、キーボード２１ａの他にマザーボード、ハードディスクドライブ等を有している機器本体である。第２筐体２２は、例えば、ＬＣＤなどのディスプレイ２２ａを有している。第１筐体２１及び第２筐体２２は、例えば、略同じ略矩形状にそれぞれ形成されている。これらの第１筐体２１と第２筐体２２はチルトヒンジ１、１を介して相対的に開閉可能に連結されて電子機器２０が構成されている。チルトヒンジ１、１の個数は、電子機器に応じて任意に決められるが、図示例では２個である。尚、これらのチルトヒンジ１、１の構成は同じであるので、以下その一つについてのみ説明する。
【実施例１】
【００２２】
本発明のチルトヒンジ１は、図２〜図７に示す実施例において、取付部材２と、ヒンジシャフト３と、支持部材４と、フリクション機構１３と、カム機構７と、弾性手段１１と、ガタ防止用ワッシャー１０と、で構成されている。ここで、本発明の特徴は、カム機構７のカムフォロワー９に隣接してガタ防止用ワッシャー１０を設け、このガタ防止用ワッシャー１０へヒンジシャフト３を当該カムフォロワー９の軸方向の移動を阻害しない範囲で圧入させた状態で前記カムフォロワー９へ圧接させるように成したことである。
【００２３】
より具体的には、前記取付部材２は、図２において想像線で示した例えばノート型パソコンのような電子機器２０の機器本体としての第１筐体２１側へ取付ネジ２３、２３により取り付けられる部材であり、取付プレート部２ａとこの取付プレート部２ａより直角方向へ折り曲げられたシャフト支持部２ｂとから構成され、シャフト支持部２ｂにはシャフト取付孔２ｃが設けられている。２ｄ、２ｄは前記取付ネジ２３、２３を取り付けるためのネジ孔である。尚、この取付部材２の具体的形状については限定はなく、図示のものに限定されない。それはさまざまな形状、構造のものがあり得る。
【００２４】
支持部材４は、図２に示す如く、例えばノート型パソコンのような電子機器２０のディスプレイとしての第２筐体２２側へ取付ネジ２４、２４により取り付けられる部材であり、支持プレート部４ａとこの支持プレート部４ａより直角方向へ折り曲げられたシャフト連結部４ｂとから構成される。シャフト連結部４ｂには前記ヒンジシャフト３の軸支部３ｃが挿通される円形のシャフト挿通孔４ｃが設けられている。４ｄ、４ｄは前記取付ネジ２４、２４を取り付けるためのネジ孔である。この支持部材４は、前記円形のシャフト挿通孔４ｃによってヒンジシャフト３の軸支部３ｃの付け根部３ｄの位置に装着されるため、ヒンジシャフト３の軸中心に回動可能なよう保持され、前記第２筐体２２を第１筐体２１に対して回動させ、開閉可能なようになっている。尚、この支持部材４の具体的形状については、図示のものに限定されることなく、さまざまな形状、構造のものがあり得る。
【００２５】
ヒンジシャフト３は、とくに図６に示したように、略中央部に位置する大径部３ｂと、この大径部３ｂの一側部側に同軸状態で連設された固定部３ａと、大径部３ｂの他側部側に同軸状態に連設された軸支部３ｃとから成り、前記固定部３ａを取付部材２のシャフト支持部２ｂのシャフト取付孔２ｃへ、かしめる等して固着させている。ヒンジシャフト３の前記軸支部３ｃは、図示した実施例において、軸直角断面が円形の付け根部３ｄと、軸支部３ｃの外周の両側面を浅く削り取った断面略楕円形状の第１変形部３ｅと、それより深く削り取った第２変形部３ｆと、さらに深く削り取った第３変形部３ｇとから形成され、軸支部３ｃの先端は、後述の押え用ワッシャー１２をかしめるためのかしめ部３ｈとなっている。ヒンジシャフト３の前記付け根部３ｄには、後述する第１フリクションワッシャー５と支持部材４とが装着され、第１変形部３ｅには後述の第２フリクションワッシャー６が装着され、第２変形部３ｆには後述のカム機構７を構成する回転カムプレート８及びカムフォロワー９と、ガタ防止用ワッシャー１０とが装着され、第３変形部３ｇには後述のスプリングワッシャー１１ａ、１１ａ・・・と押え用ワッシャー１２とが順次装着されるようになっている。尚、これらの第１〜３変形部の形状は、図示のものは断面略楕円形状であるが、片面のみを削り取った形状、或は溝、凹部としても良く、その形状について限定はない。
【００２６】
フリクション機構１３は、第１、第２フリクションワッシャー５、６と、スプリングワッシャー１１ａ、１１ａ・・・、押え用ワッシャー１２などからなる弾性手段１１から構成されている、即ち、上記の如く、ヒンジシャフト３の軸支部３ｃ上において、前記支持部材４のシャフト連結部４ｂの両側には、各々軸挿孔５ａ、６ａを設けた第１、第２フリクションワッシャー５、６が設けられる。このうち一方の第１フリクションワッシャー５は、その外周部を一部折り曲げて形成した係合片５ｂが、ヒンジシャフト３の前記大径部３ｂに設けた係合凹部３ｉに嵌め込まれることによって、ヒンジシャフト３の軸中心に回転不可能に保持される。また、もう一方の第２フリクションワッシャー６も、図示される如く、その軸挿孔６ａの形状がヒンジシャフト３の前記第１変形部３ｅの断面略楕円形状に対応するように形成されているため、当該第１変形部３ｅ上に装着されたとき、ヒンジシャフト３の軸中心に回転不可能に保持されるようになっている。そのため、ノート型パソコンのディスプレイ等の前記第２筐体２２を開閉操作し、前記支持部材４をヒンジシャフト３の軸中心に回動させる際には、ヒンジシャフト３の軸中心に回転不可能な第１及び第２フリクションワッシャー５、６と、支持部材４のシャフト挿通孔４ｃの周囲の両側面との間の摩擦によって、第２筐体２２の緩やかな開閉動作や所望位置での停止（チルト）機能が可能となるものである。この摩擦発生部分には、潤滑油の油溜用のナナコメ等の細かな凹部等を形成することが望ましく、図示した例においては、支持部材４の前記シャフト挿通孔４ｃの周囲の両側面にナナコメ加工部４ｆ、４ｆを形成すると共に、これに対向する第１フリクションワッシャー５の一方の側面にはナナコメ加工部５ｄを設け、第２フリクションワッシャー６の両側面にはナナコメ加工部６ｂ、６ｃを設けることが推奨される。また、図示する如く、第１フリクションワッシャー５に幾つかの油溜部５ｃ、５ｃを設けるようにしてもよい。なお、支持部材４のシャフト連結部４ｂの材質には、耐磨耗性に富んだ金属プレートを用い、第１、第２フリクションワッシャー５、６には、熱処理を施した耐摩耗性に富んだ金属プレートを用いることも望ましい。
【００２７】
次に、カム機構７は回転カムプレート８及びカムフォロワー９と、スプリングワッシャー１１ａ、１１ａ・・・、押え用ワッシャー１２などからなる弾性手段１１とから構成されている。即ち、ヒンジシャフト３の軸支部３ｃ上には、第２フリクションワッシャー６に隣接させて、回転カムプレート８を装着すると共に、これに隣接させてカムフォロワー９を両者のそれぞれ凸部と凹部から成るカム面８ｂと９ｂが対向、当接するようにして装着する。これらの回転カムプレート８とカムフォロワー９は、ヒンジシャフト３の軸支部３ｃの第２変形部３ｆ上に装着される。ここで、おたまじゃくし形状の回転カムプレート８の一端には係合片８ｃが設けられ、当該係合片８ｃは前記支持部材４のシャフト連結部４ｂ上の係合孔４ｅに嵌め入れられ、また、この回転カムプレート８の挿通孔８ａは円形であるため、前記軸支部３ｃの第２変形部３ｆ上においてもヒンジシャフト３の軸中心に回転可能であり、そのため、支持部材４の回動操作と一緒に回動させられる。他方、カムフォロワー９の変形挿通孔９ａは、その孔の形状がヒンジシャフト３の第２変形部３ｆの断面略楕円形状に対応するように形成されているため、当該第２変形部３ｆ上に装着されたとき、ヒンジシャフト３の軸中心に回転不可能な状態で保持され、かつ、軸方向にはスライド可能なようになっている。これにより、後述のスプリングワッシャー１１ａ、１１ａ・・・の弾力で、後述のガタ防止用ワッシャー１０を介して、前記カムフォロワー９及び回転カムプレート８から前記第２フリクションワッシャー６、支持部材４、第１フリクションワッシャー５までの部材を互いに圧接させた状態で、前記第２筐体２２の開閉操作を行うと、後述の如く、その開閉角度に応じて回転カムプレート８のカム面８ｂとカムフォロワー９のカム面９ｂの噛み合い状態が変化し、その噛み合い状態に応じて、第２筐体２２の開閉動作におけるチルト機能や吸込み機能が実現されるものである。これらの機能は、従来公知のチルトヒンジと同様である。
【００２８】
次に、本発明においては、前記ヒンジシャフト３の第２変形部３ｆ上において、カム機構７のカムフォロワー９に隣接させてガタ防止用ワッシャー１０を設ける。このガタ防止用ワッシャー１０は、図示する如く、比較的薄い金属板等で作製され、その変形挿通孔９ａにヒンジシャフト３を圧入させることにより装着し、前記カムフォロワー９へ圧接させるようにする。このガタ防止用ワッシャー１０は、弾性手段１１の弾力をカムフォロワー９に及ぼすために、ヒンジシャフト３の軸方向にはスライド可能である必要があると共に、カムフォロワー９の回転ガタによる動きを阻止するために、ヒンジシャフト３に対する軸中心の回転は皆無となるように構成されなければならない。そのため、ガタ防止用ワッシャー１０の変形挿通孔１０ａを、図４、図５に図示する如く、ヒンジシャフト３の前記第２変形部３ｆの断面形状に対応させて略楕円形状に対応するように形成するだけでなく、当該第２変形部３ｆの断面略楕円形状より僅かに小さめに形成しておき、これにヒンジシャフト３を圧入させるようにするものである。そのように強い力で圧入することにより、ガタ防止用ワッシャー１０の変形挿通孔１０ａの形状が前記ヒンジシャフト３の外周面の形状に適合化するように微小に変形し、ガタ防止用ワッシャー１０がヒンジシャフト３に対してガタや遊びを生じることなく装着され、ヒンジシャフト３に対する軸中心の回転は皆無となる。そのようにヒンジシャフト３に対して軸中心の回転が皆無のガタ防止用ワッシャー１０が、弾性手段１１の弾力によって前記カムフォロワー９に圧接されるため、ガタ防止用ワッシャー１０とカムフォロワー９の圧接摩擦力によって、回転カムプレート８の反転時等におけるカムフォロワー９の回転速度が低減もしくは回転が完全に阻止され、雑音の発生が効果的に防止されるものである。
【００２９】
次に、弾性手段１１は、ヒンジシャフト３の第３変形部３ｇ上に装着された複数枚のスプリングワッシャーから成る弾性部材１１ａ、１１ａ・・・と、押え用ワッシャー１２から構成されている。即ち、弾性手段１１のスプリングワッシャーから成る弾性部材１１ａ、１１ａ・・・の挿通孔１１ｂ、１１ｂ・・・にヒンジシャフト３の第３変形部３ｇを挿通する。尚、このスプリングワッシャーから成る弾性部材１１ａ、１１ａ・・・の形状や使用枚数に限定はない。皿バネや、圧縮コイルスプリングに変えてもよい。
【００３０】
そして、前記弾性部材１１a、１１aに隣接して、ヒンジシャフト３の先端に押え用ワッシャー１２が取り付けられている。即ち、押え用ワッシャー１２の軸挿孔１２ａへヒンジシャフト３の第３変形部３ｇを挿通し、押え用ワッシャー１２から突出したヒンジシャフト３の先端をかしめてかしめ部３ｈを形成することにより、ヒンジシャフト３の軸支部３ｃ上に前記各種部材、即ち、第１フリクションワッシャー５、支持部材４、第２フリクションワッシャー６、回転カムプレート８、カムフォロワー９、ガタ防止用ワッシャー１０、スプリングワッシャーから成る弾性部材１１ａ、１１ａ・・・が、圧接状態を保って保持され、支持部材４を回動させた時に、支持部材４のシャフト連結部４ｂと、第１及び第２フリクションワッシャー５、６との間にフリクショントルクが発生するように構成されている。
【００３１】
上記構成による本発明のチルトヒンジの作動は、ノート型パソコンのディスプレイ等から成る第２筐体２２が第１筐体２１に対して閉成状態にあるときは、カム機構７の互いに圧接された回転カムプレート８のカム面８ｂとカムフォロワー９のカム面９ｂにおいて、一方のカム面の凸部が他方のカム面の凹部に互いに嵌まり合って、カム機構７の軸方向の厚さは薄い状態にある。そこから、弾性手段１１の弾力に抗して第２筐体２２を第１筐体２１に対して相対的に開いていくと、一方のカム面の凹部から凸部へかけての斜面が他方のカム面の斜面に沿って次第に移動し、カム機構７の軸方向の厚さが次第に厚くなり、第２筐体２２の開成方向へのトルクも次第に大きくなる。さらに第２筐体２２を開いていくと、一方のカム面の凸部が他方のカム面の凸部へ乗り上げ、カム機構７の軸方向の厚さも最大となり、第２筐体２２の開閉トルクも最大となって、前記凸部同士が重なり合う所定の角度範囲で第２筐体２２を任意の角度位置で停止できるチルト機能が得られる。次に、上記停止状態から第２筐体２２を逆に閉じていくと、前記の如く両方のカム面８ｂ、９ｂの斜面同士が重なる状態において、カム機構７の軸方向の厚さが薄くなる方向へ前記弾性手段１１の弾力が働いて、いわゆる吸込み機能が発揮され、第２筐体２２が自動的に閉じられる。このような回転カムプレート８のカム面８ｂとカムフォロワー９のカム面９ｂの回転作動時には、従来のチルトヒンジでは、カムフォロワーに不可避的な回転ガタによりカム面の前記凸部同士がぶつかり合って、その衝撃による雑音が生じたり、構造的な不具合を生じやすかった。本発明の上記構成によれば、カムフォロワー９に回転ガタ等があったとしても、ヒンジシャフト３の外周面に圧入され、回転ガタや遊びが皆無の状態で装着された前記ガタ防止用ワッシャー１０がカムフォロワー９に圧接されることにより、その摩擦抵抗によってカムフォロワー９の回転速度を低減させたり、回転やガタつき自体を阻止することにより、雑音の発生や構造的不具合の発生を防止し得るものである。
【００３２】
以上の実施例は、カムフォロワーが回転しないヒンジシャフトに軸方向へ移動可能にしたものが示されたが、本発明に係るチルトヒンジは、固定カムプレートが取付部材に固定して取り付けられ、この固定カムプレートに対してヒンジシャフトに装着されたカムフォロワーが当該ヒンジシャフトに対して回転かつ軸方向へ移動可能に取り付けられたチルトヒンジにも適用できる。この場合、支持部材は取付部材のシャフト支持部に回転可能に取り付けられたヒンジシャフトへ共に回転可能となるように取り付けられるものであり、カムフォロワーはヒンジシャフトに対して共に回転可能かつ軸方向へ移動可能に取り付けられるものである。
【実施例２】
【００３３】
図８はガタ防止用ワッシャーの他の実施例を示す。図面によればこの実施例２に係るガタ防止用ワッシャー１５の変形挿通孔１５ａには、その内周面の長尺部分の上下位置に軸方向に４本の凸条部１５ｂ、１５ｂ・・が設けられており、この凸条部１５ｂ、１５ｂ・・が図８では示してないが実施例１に示したヒンジシャフト３の外周面と当該ガタ防止用ワッシャー１５の軸方向の動きを完全に阻止しないように圧入されつつ圧接されるように構成したものである。このような形状であると、圧入時には前記凸条部１５ｂ、１５ｂ・・が実施例１に記載したヒンジシャフト３の外周面を削りつつ圧接しつつ圧入され、当該ヒンジシャフト３の外周面に密着するため、圧入操作の容易性と、ガタ防止用ワッシャー１０の無回転性、並びに、軸方向への円滑なスライド可能性が実現されるものである。
【実施例３】
【００３４】
図９（ａ）と（ｂ）はガタ防止用ワッシャーのさらに他の実施例を示す。図面によればこの実施例に係るガタ防止用ワッシャー１６は、変形挿挿孔１６ａに外側からテーパー部１６ｂが設けられている。このように構成すると、図９では示してないが実施例１のヒンジシャフト３が圧入される場合、変形挿通孔１６ａの小径部１６ｃの圧入抵抗が少なく、圧入作業の容易性と、ガタ防止用ワッシャー１０の無回転性、並びに、軸方向への円滑なスライド可能性が実現されるものである。尚、図９に示した例では、その（ｂ）図に示したように、変形挿通孔１６ａの片側の面からだけテーパー部１６ｂが設けられているが、変形挿通孔１６ａの両側からテーパー部を設けるようにしてもよい。
【００３５】
尚、上記各ガタ防止用ワッシャー１０、１５、１６の材質としては、カムフォロワー９との摺動摩擦抵抗が大きく、強度、靱性に優れた。例えばＳＳ、ＳＵＳ、或はリン青銅のようなものがよく、圧入操作の容易性のため、比較的厚みの薄いものがよい。
【００３６】
尚、本発明に係る電子機器２０は、上記の如き本発明のチルトヒンジ１を備えたものである。
【産業上の利用可能性】
【００３７】
この発明は以上のように構成したので、ガタ防止用ワッシャーという簡単な構成の部材を１枚追加するだけで、回転カムの挿通孔の内径やヒンジシャフトの外径の寸法バラツキによって生じるカムフォロワーの回転ガタによる雑音の発生や構造的不具合の発生を有効に解消でき、部品１個を追加する必要はあるとしても、それを上回る工程数削減効果によるコストダウンや構造的安定性を確保することが可能となる。
【符号の説明】
【００３８】
１      チルトヒンジ
２      取付部材
３      ヒンジシャフト
３ｅ    第１変形部
３ｆ    第２変形部
３ｇ    第３変形部
４      支持部材
７      カム機構
８      回転カムプレート
８ｂ    カム面
９      カムフォロワー
９ａ    変形挿通孔
９ｂ    カム面
１０、１５、１６    ガタ防止用ワッシャー
１０ａ、１５ａ、１６ａ    変形挿通孔
１１    弾性手段
１３    フリクション機構
１５ｂ  凸条部
１６ｂ  テーパー部
２０    電子機器
２１    第１筐体
２２    第２筐体
【図１】
0006497771.tif 000002
【図２】
0006497771.tif 000003
【図３】
0006497771.tif 000004
【図４】
0006497771.tif 000005
【図５】
0006497771.tif 000006
【図６】
0006497771.tif 000007
【図７】
0006497771.tif 000008
【図８】
0006497771.tif 000009
【図９】
0006497771.tif 000010